(57)【要約】【課題】アンテナの回転又は回動を検出する回転センサを使用して、トレイの破損を検出することができる高周波加熱調理器の提供。【解決手段】高周波発生装置から供給されたマイクロ波を通過させる通過部２１，２１ａを有し、マイクロ波を加熱室内に照射する為に回転するアンテナ２０ｂと、アンテナ２０ｂへ光を放射し、その反射光を受光してアンテナ２０ｂの回転を検出する回転検出器１３ａ，１３ｂとをそれぞれ加熱室の天井部及び床部に備え、天井部のアンテナ及び回転検出器を光透過性のカバーが覆い、床部のアンテナ２０ｂ及び回転検出器１３ａ，１３ｂを光透過性のトレイ２６が覆うように構成された高周波加熱調理器。通過部２１，２１ａを通過した反射光に基づく床部の受光部１３ｂの出力が、所定値より低いか否かを判定する手段を備え、低いと判定したときは、トレイ２６が破損していると判定する構成である。【選択図】図４
2011080643.tif 000002
【特許請求の範囲】
【請求項１】
金属によって形成され、高周波発生装置から供給されたマイクロ波を通過させる通過部を有し、前記マイクロ波を指向性を有して加熱室内に照射する為に回転又は回動するアンテナと、該アンテナの回転中心又は回動中心から離隔した位置へ光を放射する発光部、及び該発光部が放射した光の反射光を受光して出力する受光部を有し、前記アンテナの回転又は回動を検出する回転検出器とをそれぞれ加熱室の天井部及び床部に備え、該天井部のアンテナ及び回転検出器を光透過性のカバーが覆い、前記床部のアンテナ及び回転検出器を光透過性のトレイが覆うように構成された高周波加熱調理器において、
前記通過部を通過した前記反射光に基づく前記床部の受光部の出力が、所定値より低いか否かを判定する手段を備え、該手段が低いと判定したときは、前記トレイが破損していると判定するように構成してあることを特徴とする高周波加熱調理器。
【請求項２】
金属によって形成され、高周波発生装置から供給されたマイクロ波を通過させる通過部を有し、前記マイクロ波を指向性を有して加熱室内に照射する為に回転又は回動するアンテナと、該アンテナの回転中心又は回動中心から離隔した位置へ光を放射する発光部、及び該発光部が放射した光の反射光を受光して出力する受光部を有し、前記アンテナの回転又は回動を検出する回転検出器とをそれぞれ加熱室の天井部及び床部に備え、該天井部のアンテナ及び回転検出器、並びに前記床部のアンテナ及び回転検出器をそれぞれの光透過性のカバーが覆うように構成された高周波加熱調理器において、
前記天井部及び床部の回転検出器の発光部は、同一周期で互いに重複しない位相で間欠的に発光し、前記天井部及び床部の回転検出器の受光部は、それぞれの発光部が発光した位相で出力するように構成してあることを特徴とする高周波加熱調理器。
【発明の詳細な説明】
【技術分野】
【０００１】
本発明は、高周波発生装置から供給されたマイクロ波を通過させる通過部を有し、マイクロ波を加熱室内に照射する為に回転又は回動するアンテナと、アンテナへ光を放射し、その反射光を受光してアンテナの回転又は回動を検出する回転検出器とをそれぞれ加熱室の天井部及び床部に備えた高周波加熱調理器（電子レンジ）に関するものである。
【背景技術】
【０００２】
電子レンジでは、高周波発生装置（マグネトロン）から供給されたマイクロ波を導波管で加熱室の天井部へ導き放射している。しかし、それだけでは、マイクロ波を加熱室内に均一に放射できず、被加熱物が均等に加熱されないので、加熱室内へのマイクロ波の放射を均一する為に、指向性を有するアンテナ（スターラファン）を導波管の出口付近に設けて回転させている。アンテナは、例えば円板状でマイクロ波が通過する孔が１又は複数設けてあり、これが回転することにより、加熱室内へのマイクロ波の放射を均一にする。
【０００３】
また、導波管の出口付近にアンテナを設け、加熱室内へのマイクロ波の放射を均一にするのではなく、被加熱物を集中的に加熱する為に、回転速度を変化させるか、あるいは、所定角度範囲を回動するものが存在する。
このように設けられたアンテナが、仕様通りに回転又は回動していることを確認する為に、アンテナへ光を放射する発光部と、その反射光を受光する受光部とを有する回転センサ（回転検出器）が設けてある。
【０００４】
業務用の電子レンジでは、加熱能力を高める為に、加熱室の天井部及び床部に上記のマグネトロン、導波管、アンテナ及び回転センサをそれぞれ設けてある。
これらのアンテナ及び回転センサは、光透過性（透明又は半透明）のカバー又はトレイ（床部の場合）により覆われており、加熱室内に直接露出しないように構成されている。
【０００５】
特許文献１には、スターラファンの回転を発電機、受光素子、電界センサ等により検出し、運転中にスターラファンが停止した場合は、制御装置により運転を停止する電子レンジが開示されている。
【先行技術文献】
【特許文献】
【０００６】
【特許文献１】特開平０６−２０３９５１号公報
【発明の概要】
【発明が解決しようとする課題】
【０００７】
上述したような業務用の電子レンジでは、マイクロ波を加熱室内に照射する為に回転又は回動するアンテナ、及びアンテナの回転又は回動を検出する回転センサは、天井部及び床部でそれぞれ光透過性のカバー又はトレイ（床部の場合）により覆われている。その為、天井部及び床部の各回転センサの発光部が放射する光が、床部及び天井部の各回転センサの受光部により受光されることがあり、アンテナの回転又は回動を正確に検出することができないという問題がある。また、繁忙時に食器が乱暴に置かれたりして、床部のトレイ（カバー）が破損されることがあるが、トレイの破損を検出する手段がないので、破損した状態で加熱を続けてしまい、アンテナ等を被加熱物で汚損する虞があるという問題がある。
【０００８】
本発明は、上述したような事情に鑑みてなされたものであり、アンテナの回転又は回動を検出する回転センサを使用して、トレイの破損を検出することができる高周波加熱調理器を提供することを目的とする。
本発明は、また、天井部及び床部にアンテナを備え、発光部及ぶ受光部を有して各アンテナの回転又は回動を検出する各回転センサが、互いに干渉することがない高周波加熱調理器を提供することを目的とする。
【課題を解決するための手段】
【０００９】
本発明に係る高周波加熱調理器は、金属によって形成され、高周波発生装置から供給されたマイクロ波を通過させる通過部を有し、前記マイクロ波を指向性を有して加熱室内に照射する為に回転又は回動するアンテナと、該アンテナの回転中心又は回動中心から離隔した位置へ光を放射する発光部、及び該発光部が放射した光の反射光を受光して出力する受光部を有し、前記アンテナの回転又は回動を検出する回転検出器とをそれぞれ加熱室の天井部及び床部に備え、該天井部のアンテナ及び回転検出器を光透過性のカバーが覆い、前記床部のアンテナ及び回転検出器を光透過性のトレイが覆うように構成された高周波加熱調理器において、前記通過部を通過した前記反射光に基づく前記床部の受光部の出力が、所定値より低いか否かを判定する手段を備え、該手段が低いと判定したときは、前記トレイが破損していると判定するように構成してあることを特徴とする。
【００１０】
この高周波加熱調理器では、加熱室の天井部及び床部の金属によって形成されたアンテナが、高周波発生装置から供給されたマイクロ波を通過させる通過部を有し、マイクロ波を指向性を有して加熱室内に照射する為に回転又は回動する。天井部及び床部の回転検出器は、発光部がアンテナの回転中心又は回動中心から離隔した位置へ光を放射し、受光部がその放射した光の反射光を受光して出力し、アンテナの回転又は回動を検出する。光透過性のカバーが、天井部のアンテナ及び回転検出器を覆い、光透過性のトレイが、床部のアンテナ及び回転検出器を覆っている。判定する手段が、通過部を通過した反射光に基づく床部の受光部の出力が、所定値より低いか否かを判定し、判定する手段が低いと判定したときは、トレイが破損していると判定する。
【００１１】
本発明に係る高周波加熱調理器は、金属によって形成され、高周波発生装置から供給されたマイクロ波を通過させる通過部を有し、前記マイクロ波を指向性を有して加熱室内に照射する為に回転又は回動するアンテナと、該アンテナの回転中心又は回動中心から離隔した位置へ光を放射する発光部、及び該発光部が放射した光の反射光を受光して出力する受光部を有し、前記アンテナの回転又は回動を検出する回転検出器とをそれぞれ加熱室の天井部及び床部に備え、該天井部のアンテナ及び回転検出器、並びに前記床部のアンテナ及び回転検出器をそれぞれの光透過性のカバーが覆うように構成された高周波加熱調理器において、前記天井部及び床部の回転検出器の発光部は、同一周期で互いに重複しない位相で間欠的に発光し、前記天井部及び床部の回転検出器の受光部は、それぞれの発光部が発光した位相で出力するように構成してあることを特徴とする。
【００１２】
この高周波加熱調理器では、加熱室の天井部及び床部の金属によって形成されたアンテナが、高周波発生装置から供給されたマイクロ波を通過させる通過部を有し、マイクロ波を指向性を有して加熱室内に照射する為に回転又は回動する。天井部及び床部の回転検出器は、発光部がアンテナの回転中心又は回動中心から離隔した位置へ光を放射し、受光部がその放射した光の反射光を受光して出力し、アンテナの回転又は回動を検出する。それぞれの光透過性のカバーが、天井部のアンテナ及び回転検出器、並びに床部のアンテナ及び回転検出器をそれぞれ覆っている。天井部及び床部の回転検出器の発光部は、同一周期で互いに重複しない位相で間欠的に発光し、天井部及び床部の回転検出器の受光部は、それぞれの発光部が発光した位相で出力する。
【発明の効果】
【００１３】
本発明に係る高周波加熱調理器によれば、アンテナの回転又は回動を検出する回転検出器を使用して、トレイの破損を検出することができる高周波加熱調理器を実現することができる。
【００１４】
本発明に係る高周波加熱調理器によれば、天井部及び床部にアンテナを備え、発光部及ぶ受光部を有して各アンテナの回転又は回動を検出する各回転検出器が、互いに干渉することがない高周波加熱調理器を実現することができる。
【図面の簡単な説明】
【００１５】
【図１】本発明に係る電子レンジの実施の形態の外観を示す正面図である。
【図２】本発明に係る電子レンジの要部回路構成例を示すブロック図である。
【図３】天井部のアンテナを模式的に示す説明図である。
【図４】床部のアンテナを模式的に示す説明図である。
【図５】床部のアンテナが１回転するときの回転センサの動作例を示す説明図である。
【図６】床部のアンテナが１回転するときの回転センサの動作例を示す説明図である。
【図７】本発明に係る電子レンジの動作の例を示すフローチャートである。
【図８】本発明に係る電子レンジの実施の形態の動作を示すフローチャートである。
【図９】本発明に係る電子レンジの動作例を示すタイミングチャートである。
【発明を実施するための形態】
【００１６】
以下に、本発明をその実施の形態を示す図面に基づき説明する。
（実施の形態１）
図１は、本発明に係る高周波加熱調理器（電子レンジ）の実施の形態１の外観を示す正面図である。
この電子レンジは、レンジ本体１が略直方体をなし、前側に開放部を有する加熱室６を収容するキャビネット７を外殻とする。加熱室６の開放部は、レンジ本体１の前部の一側方に蝶着された横開きのドア２により、開閉可能に閉止されている。レンジ本体１の前面の上部は、ドア２の上方を覆うように前方へ突出させてあり、突出させたレンジ本体１の前部及びドア２の下部に、レシピの選択及び加熱の開始等の操作を受付ける為の操作部３、４をそれぞれ備えている。
【００１７】
操作部３，４は、予め記憶されたレシピの選択を受付ける為の「０」乃至「９」のキーからなる数字キー３１，４１と、数字キー３１，４１により選択される数値に対応付けられたレシピについて、加熱の開始及び停止をそれぞれ受付ける為の開始キー３２，４２及び停止／クリアキー３６，４６と、各キーより受付けた内容、加熱の残り時間及び各部の故障等の情報を表示する表示器５とを備えている。
操作部３は、また、数値に対応付けられたレシピを設定して記憶する場合、設定されたレシピの記憶を受付ける為の設定記憶キー３３と、設定中のレシピについて調理時間の設定を受付ける為の時間設定キー３４と、設定中のレシピについて加熱出力の設定を受付ける為の出力設定キー３５とを備えている。
【００１８】
図２は、本発明に係る電子レンジの要部回路構成例を示すブロック図である。
この電子レンジは、単相の交流電源に接続される電源プラグ５１の一方の端子が、電子レンジの回路電流の異常時に溶断するメインヒューズ５２、及び加熱室６内の温度の異常時（例えば加熱室６内部での発火時）に溶断する温度ヒューズ５３を通じて、直流電源５４の一方の端子、及びドア２の開放時から加熱終了時までオンされるプライマリーインターロックリレー接点５７ａの一方の端子に接続されている。
【００１９】
プライマリーインターロックリレー接点５７ａの他方の端子は、加熱室６の内部を照明する為のオーブンランプ５８と、マグネトロン８ａ，８ｂから供給され、図示しない導波管によりそれぞれ伝送されたマイクロ波を加熱室６内に放射するアンテナ２０ａ，２０ｂ（図３，４）（スターラファン）を回転させる為のアンテナモータ５９ａ，５９ｂとを通じて、直流電源５４の他方の端子、電源プラグ５１の他方の端子、及びドア２の開放時にオフするセカンダリーインターロックスイッチ５６の一方の端子に接続されている。アンテナモータ５９ａ，５９ｂは、加熱室６の天井部、床部にそれぞれ設けられている。
【００２０】
プライマリーインターロックリレー接点５７ａの他方の端子は、また、ドア２の開放時にオフするモニタスイッチ６０の一方の端子、及びマグネトロン８ａ，８ｂの各出力をオン／オフする為の加熱リレー接点６１，６１の各一方の端子に接続されている。モニタスイッチ６０の他方の端子は、セカンダリーインターロックスイッチ５６の他方の端子、及び高圧トランス９，９の一次側の各一方の端子に接続されている。
【００２１】
加熱リレー接点６１，６１の各他方の端子は、それぞれマグネトロン８ａ，８ｂの温度の異常時（例えば冷却異常時又は無負荷運転による高温時）に溶断する温度ヒューズ６２，６２を通じて高圧トランス９，９の一次側の各他方の端子に接続されている。
高圧トランス９，９の各二次側には、それぞれ倍電圧整流の為のコンデンサ１０，１０とダイオード８１，８１とが直列に接続されており、倍電圧に整流されたダイオード８１，８１の両端電圧が、それぞれマグネトロン８ａ，８ｂに与えられるようになっている。マグネトロン８ａ，８ｂには、また、高圧トランス９，９の他の二次側からそれぞれヒータ用の電圧が印加されるようになっている。
【００２２】
直流電源５４の出力電圧（５Ｖ及びＧＮＤ）は、ＣＰＵ７１を有するマイクロコンピュータ７０からなる制御部１６に与えられる。マイクロコンピュータ７０は、プログラム等の情報を記憶するＲＯＭ７２、一部が不揮発性メモリで構成されプログラムの実行中に発生した情報を記憶するＲＡＭ７３、時間を計時するタイマを複数備えるタイマ部７４、及び入出力回路（図示せず）をＣＰＵ７１とバス接続して構成してある。ＣＰＵ７１は、ＲＯＭ７２に予め格納されている制御プログラムに従って、演算及び入出力等の処理を実行する。
【００２３】
マイクロコンピュータ７０の入出力回路には、インターロックリレー駆動回路５７ｂ、加熱リレー駆動回路６３，６３、ドアスイッチ２ｃ、及び操作部３，４が接続されており、表示器５とは操作部３を介して接続されている。マイクロコンピュータ７０の入出力回路には、また、ファンモータ１１，１１及び排気モータ１５ｂをそれぞれ駆動するファンモータ駆動回路７５，７５及び排気モータ駆動回路７６と、アンテナ２０ａ，２０ｂ（図３，４）の回転を検出する回転センサ（回転検出器）１２，１３のインタフェース７７，７８とが接続されている。
【００２４】
図３は、天井部のアンテナ２０ａを模式的に示す説明図であり、正面断面図（ａ）、及び上から見たアンテナ２０ａの平面図（ｂ）である。
アンテナ２０ａは、円板形状であり、加熱室６の天井面に平行に取付けられている。オーブン壁７ａで囲まれた加熱室６の天井裏には、アンテナ２０ａを回転させるアンテナモータ５９ａが、レンジ本体１側に固定して設けられており、アンテナモータ５９ａとアンテナ２０ａとはアンテナ軸２４により連結されている。
アンテナ２０ａと加熱室６とは、アンテナ２０ａ及び天井面を全面的に覆い天井面に平行なカバー２５により仕切られている。カバー２５は、光透過性のセラミック製又はガラス製である。
【００２５】
マグネトロン８ａから供給されたマイクロ波は、図示しない導波管で加熱室６の天井裏迄伝送され、導波管の出口に設けてある指向性を有するアンテナ２０ａが回転することにより、加熱室６内へ均一に照射される。
アンテナ２０ａの導波管側の面には、同一円周上に並ぶように、マイクロ波及び回転センサ１２の光を通過させる３つの円形のスリット（孔）２１、１つの細長のスリット２１ａ、並びに回転センサ１２の光を吸収する４つの方形の塗装部２２が交互に形成されている。塗装部２２は、黒色で塗装され艶消しされているのが望ましい。
【００２６】
また、加熱室６の天井裏には、アンテナ２０ａの導波管側の面に向けて指向性を有する光を放射し、アンテナ２０ａの直視面である金属面及びカバー２５の直視面に光輝点を生成させる回転センサ１２の発光素子（発光部）１２ａと、光輝点からの反射光を受光する受光素子（受光部）１２ｂとが、レンジ本体１側に固定して設けられている。スリット２１，２１ａ、塗装部２２、発光素子１２ａ及び受光素子１２ｂは、水平方向の各位置が、アンテナ２０ａの導波管側の面に仮想された破線２３の円周上に並ぶようにそれぞれ設けられている。
【００２７】
図４は、床部のアンテナ２０ｂを模式的に示す説明図であり、正面断面図（ａ）、及び下から見たアンテナ２０ｂの平面図（ｂ）である。
アンテナ２０ｂは、円板形状であり、加熱室６の床面に平行に取付けられている。オーブン壁７ａで囲まれた加熱室６の床下には、アンテナ２０ｂを回転させるアンテナモータ５９ｂが、レンジ本体１側に固定して設けられており、アンテナモータ５９ｂとアンテナ２０ｂとはアンテナ軸２４により連結されている。
アンテナ２０ｂと加熱室６とは、アンテナ２０ｂ及び床面を全面的に覆うように床面に平行に設置されたトレイ（カバー）２６により仕切られている。トレイ２６は、光透過性のセラミック製又はガラス製である。
【００２８】
マグネトロン８ｂから供給されたマイクロ波は、図示しない導波管で加熱室の床下迄伝送され、導波管の出口に設けてある指向性を有するアンテナ２０ｂが回転することにより、加熱室６内へ均一に照射される。
アンテナ２０ｂの導波管側の面には、同一円周上に並ぶように、マイクロ波及び回転センサ１３の光を通過させる３つの円形のスリット（孔）２１、１つの細長のスリット２１ａ、並びに回転センサ１３の光を吸収する４つの方形の塗装部２２が交互に形成されている。
【００２９】
また、加熱室６の床下には、アンテナ２０ｂの導波管側の面に向けて指向性を有する光を放射し、アンテナ２０ｂの直視面である金属面及びトレイ２６の直視面に光輝点を生成させる回転センサ１３の発光素子（発光部）１３ａと、光輝点からの反射光を受光する受光素子（受光部）１３ｂとが、レンジ本体１側に固定して設けられている。スリット２１，２１ａ、塗装部２２、発光素子１３ａ及び受光素子１３ｂは、水平方向の各位置が、アンテナ２０ｂの導波管側の面に仮想された破線２３の円周上に並ぶようにそれぞれ設けられている。
尚、アンテナ２０ａ，２０ｂは円板状でなくても良く、スリット２１，２１ａも周縁部まで欠切された間隙であっても良く、更には、短冊状のアンテナ、あるいは、板状でなく立体形状のアンテナであっても良い。
【００３０】
図５，６は、床部のアンテナ２０ｂが１回転するときの回転センサ１３の動作例を示す説明図である。
ここでは、図５（ａ）に示すように、アンテナ２０ｂの１回転を、回転センサ１３が細長のスリット２１ａの中点に相当する位置に対向している時点から開始する。
回転センサ１３がスリット２１，２１ａに対向している期間（角度範囲）ｃ（図６（ｃ））では、発光素子１３ａが放射した光は、スリット２１，２１ａを通過して、トレイ２６で反射され、その反射光は、スリット２１，２１ａを通過して受光素子１３ｂで受光され、受光素子１３ｂは、ＨレベルＰｈの信号を出力する。トレイ２６は，光透過性であるが、反射光も大きい。
【００３１】
回転センサ１３がアンテナ２０ｂの金属面に対向している期間（角度範囲）ｂ（図６（ｂ））では、発光素子１３ａが放射した光は、アンテナ２０ｂの金属面で反射され、その反射光は受光素子１３ｂで受光され、受光素子１３ｂは、期間ｃと略同レベルのＨレベルＰｈの信号を出力する。
回転センサ１３が塗装部２２に対向している期間（角度範囲）ａ（図６（ａ））では、発光素子１３ａが放射した光は、塗装部２２で大半が吸収され、その小さい反射光は受光素子１３ｂで受光され、受光素子１３ｂは、ＬレベルＰＬの信号を出力する。
【００３２】
以上の結果、アンテナ２０ｂが１回転する間に、受光素子１３ｂが出力する信号は、図５（ｂ）に示すように、ＨレベルＰｈとＬレベルＰＬとが規則的に交代する。従って、受光素子１３ｂが出力する信号が、ＨレベルＰｈとＬレベルＰＬとで変化することを検知することにより、アンテナ２０ｂが回転していることを検出することができる。
以上の動作は、天井部のアンテナ２０ａ及び回転センサ１２においても同様である。
【００３３】
ここで、トレイ２６が破損している場合、回転センサ１３がスリット２１，２１ａに対向している期間ｃ（図６（ｄ））では、発光素子１３ａが放射した光は、スリット２１，２１ａを通過して、トレイ２６で反射される。しかし、トレイ２６が破損しているので、その反射角度が異なり、その反射光は、スリット２１，２１ａを通過したとしても、受光素子１３ｂで受光される部分は小さい。その為、受光素子１３ｂが、Ｈレベルの信号を出力したとしても低レベルとなり、受光素子１３ｂが出力する信号は、図５（ｃ）に示すように、ＨレベルＰｈの期間の中間部が低下するようになる。
従って、そのＨレベルＰｈの期間の中間部のレベルが低下していることを検知できれば、トレイ２６が破損していることを検出することができる。
【００３４】
以下に、このような構成の電子レンジの動作の例を、それを示す図７のフローチャートを参照しながら説明する。
マイクロコンピュータ７０（以下、マイコン７０と記載）は、加熱運転が開始され、アンテナ２０ｂが回転を開始すると（Ｓ１）、発光素子１３ａ及び受光素子１３ｂの駆動を開始する（Ｓ３）。次いで、タイマ部７４で加熱時間の計時を開始し（Ｓ５）、アンテナ２０ｂが１回転（３６０°）するのに要する時間Ｔ２の計時をタイマ部７４で開始する（Ｓ７）。
【００３５】
マイコン７０は、次に、受光素子１３ｂの出力信号を読込んだ（Ｓ９）後、加熱時間の計時が終了したか否かを判定する（Ｓ１１）。
マイコン７０は、加熱時間の計時が終了していなければ（Ｓ１１）、時間Ｔ２の計時が終了しているか否かを判定し（Ｓ１３）、時間Ｔ２の計時が終了していなければ、再度、受光素子１３ｂの出力信号を読込む（Ｓ９）。
マイコン７０は、時間Ｔ２の計時が終了していれば（Ｓ１３）、アンテナ２０ｂが１回転したと推定でき、タイマ部７４で時間Ｔ２の計時をリセットする（Ｓ１５）。
【００３６】
マイコン７０は、次に、その時間Ｔ２の間に読込んだ受光素子１３ｂの出力信号の最高電圧と最低電圧との差を、出力変化Ｐout０として算出する（Ｓ１７）。次いで、受光素子１３ｂの出力信号がＨレベルである期間の中間部の信号レベルＰhiを抽出する（Ｓ１８）。信号レベルＰhiは、例えば、出力信号がＬレベルからＨレベルに立上がってから所定時間（期間ｂ以上、期間ｂ＋ｃ以下）後の信号レベル、又は出力信号がＬレベルからＨレベルに立上がってからＬレベルに立下がる迄の出力信号の平均レベル等とする。
【００３７】
マイコン７０は、次に、受光素子１３ｂの出力変化Ｐout０が、所定電圧値Ｐout１以上であるか否かを判定し（Ｓ１９）、所定電圧値Ｐout１以上であれば、信号レベルＰhiが所定電圧値Ｐh １以下であるか否かを判定する（Ｓ２１）。
マイコン７０は、信号レベルＰhiが所定電圧値Ｐh １以下でなければ（Ｓ２１）、アンテナ２０ｂが１回転するのに要する時間Ｔ２の計時をタイマ部７４で開始する（Ｓ７）。
マイコン７０は、信号レベルＰhiが所定電圧値Ｐh １以下であれば（Ｓ２１）、トレイ２６の破損（割れ）を検知し、表示器５にトレイ２６の破損を示すエラー表示を行なう（Ｓ２３）。
【００３８】
マイコン７０は、次に、タイマ部７４で加熱時間及び時間Ｔ２の計時をリセットし（Ｓ２５）、加熱（運転）を終了する（Ｓ２７）。
マイコン７０は、受光素子１３ｂの出力変化Ｐout０が、所定電圧値Ｐout１以上でなければ（Ｓ１９）、アンテナ２０ｂの回転不良として、表示器５にアンテナ２０ｂの回転不良を示すエラー表示を行ない（Ｓ２９）、ついで、タイマ部７４で加熱時間及び時間Ｔ２の計時をリセットする（Ｓ２５）。
【００３９】
マイコン７０は、加熱時間の計時が終了していれば（Ｓ１１）、タイマ部７４で加熱時間及び時間Ｔ２の計時をリセットする（Ｓ２５）。
尚、本実施の形態１では、アンテナ２０ｂが１回転する時間Ｔ２当たりの受光素子１３ｂの出力に基づき判定しているが、アンテナが所定角度回動する電子レンジの場合においても、アンテナが所定角度回動する時間当たりの受光素子の出力により、同様に判定することは可能である。
【００４０】
（実施の形態２）
図８は、本発明に係る電子レンジの実施の形態２の動作を示すフローチャートである。
この電子レンジでは、例えば、マイコン７０は、天井部及び床部のアンテナ２０ａ，２０ｂが１回転するのに要する時間Ｔ１毎に、天井部及び床部の各回転センサ１２，１３のオン／オフを切替える。但し、アンテナ２０ａ，２０ｂは回転させ続ける。
【００４１】
つまり、図９に示すように、床部の発光素子１３ａ及び受光素子１３ｂがオンである時間Ｔ１の間は（ａ）、天井部の発光素子１２ａ及び受光素子１２ｂはオフであり（ｂ）、その次の時間Ｔ１の間は、天井部の発光素子１２ａ及び受光素子１２ｂがオンになり（ｂ）、床部の発光素子１３ａ及び受光素子１３ｂはオフになる（ａ）。この電子レンジのその他の構成は、実施の形態１で説明した電子レンジの構成と同一であるので、説明を省略する。
【００４２】
以下に、このような構成の電子レンジの動作の例を、それを示す図８のフローチャートを参照しながら説明する。
マイコン７０は、加熱運転が開始され、アンテナ２０ａ，２０ｂが回転を開始すると（Ｓ３１）、タイマ部７４で加熱時間の計時を開始し（Ｓ３３）、アンテナ２０ａ，２０ｂが１回転（３６０°）するのに要する時間Ｔ１の計時をタイマ部７４で開始する（Ｓ３５）。
【００４３】
マイコン７０は、次に、発光素子１３ａ及び受光素子１３ｂの動作をオンにして、図７で説明した床部のアンテナ２０ｂの回転検出と、トレイ２６の破損（割れ）検知とを実行する（Ｓ３７）。マイコン７０は、床部のアンテナ２０ｂの回転検出と、トレイ２６の破損検知とを実行している間（Ｓ３７）、加熱時間の計時が終了したか否かを判定し（Ｓ３９）、時間Ｔ１の計時が終了したか否かを判定し（Ｓ４１）、加熱時間及び時間Ｔ１の計時が終了していない間は、回転検出と破損検知とを実行する（Ｓ３７）。
【００４４】
マイコン７０は、時間Ｔ１の計時が終了していれば（Ｓ４１）、発光素子１３ａ及び受光素子１３ｂの動作をオフにし、タイマ部７４で時間Ｔ１の計時をリセットした後、時間Ｔ１の計時を再度開始する（Ｓ４３）。
マイコン７０は、次に、発光素子１２ａ及び受光素子１２ｂの動作をオンにして、天井部のアンテナ２０ａの回転検出を実行する（Ｓ４５）。天井部のアンテナ２０ａの回転検出は、図７に示す床部のアンテナ２０ａの回転検出と同様である。
【００４５】
マイコン７０は、天井部のアンテナ２０ａの回転検出を実行している間（Ｓ４５）、加熱時間の計時が終了したか否かを判定し（Ｓ４７）、時間Ｔ１の計時が終了したか否かを判定し（Ｓ４９）、加熱時間及び時間Ｔ１の計時が終了していない間は、回転検出を実行する（Ｓ４５）。
マイコン７０は、時間Ｔ１の計時が終了していれば（Ｓ４９）、発光素子１２ａ及び受光素子１２ｂの動作をオフにし、タイマ部７４で時間Ｔ１の計時をリセットした（Ｓ５１）後、時間Ｔ１の計時を再度開始する（Ｓ３５）。
【００４６】
マイコン７０は、加熱時間の計時が終了していれば（Ｓ３９，Ｓ４７）、タイマ部７４で加熱時間及び時間Ｔ１の計時をリセットし（Ｓ５３）、加熱（運転）を終了する（Ｓ５５）。
以上により、この電子レンジでは、図９に示すように、床部の発光素子１３ａ及び受光素子１３ｂ（ａ）と、天井部の発光素子１２ａ及び受光素子１２ｂ（ｂ）とは、時間Ｔ１毎にオン／オフが交互に切替り、同時に作動することがないので、互いに干渉し合うことがない。
尚、本実施の形態２では、アンテナ２０ａ，２０ｂが１回転する時間Ｔ１毎に回転センサ１２，１３を交互にオン／オフしているが、天井部及び床部のアンテナが所定角度回動する電子レンジの場合においても、アンテナが所定角度回動する時間毎に天井部及び床部の回転センサを交互にオン／オフすることは可能である。
【符号の説明】
【００４７】
１  （電子）レンジ本体
２  ドア（扉）
３  操作部
４  操作部
５  表示器
６  加熱室
７  キャビネット
８ａ，８ｂ  マグネトロン（高周波発生装置）
１２，１３  回転センサ（回転検出器）
１２ａ，１３ａ  発光素子（発光部）
１２ｂ，１３ｂ  受光素子（受光部）
１６  制御部
２０ａ，２０ｂ  アンテナ
２１，２１ａ  スリット（孔）（通過部）
２２  塗装部
２５  カバー
２６  トレイ（カバー）
５９ａ，５９ｂ  アンテナモータ
７０  マイクロコンピュータ（判定する手段）
７４  タイマ部
【図１】
2011080643.tif 000003
【図２】
2011080643.tif 000004
【図３】
2011080643.tif 000005
【図４】
2011080643.tif 000006
【図５】
2011080643.tif 000007
【図６】
2011080643.tif 000008
【図７】
2011080643.tif 000009
【図８】
2011080643.tif 000010
【図９】
2011080643.tif 000011